【手続補正書】
【提出日】平成17年11月29日(2005.11.29)
【手続補正１】
【補正対象書類名】明細書
【補正対象項目名】発明の名称
【補正方法】変更
【補正の内容】
【発明の名称】磁気記録再生装置及びその制御方法
【手続補正２】
【補正対象書類名】明細書
【補正対象項目名】特許請求の範囲
【補正方法】変更
【補正の内容】
【特許請求の範囲】
【請求項１】  磁気テープが巻回給送される回転ドラムと、
前記回転ドラムに搭載されて前記磁気テープにＨＤ方式のＭＰＥＧ圧縮信号による記録トラックを形成する第１アジマス角を有する第１磁気ヘッドと、
前記回転ドラムに搭載されて前記磁気テープにＳＤ方式のＤＶ圧縮信号による記録トラックを形成する第２アジマス角を有する第２磁気ヘッドとを備え、
前記第１磁気ヘッドによる記録トラックの一部を重複する状態で前記第２磁気ヘッドによる記録トラックを形成し、前記第２磁気ヘッドによる記録トラックの一部を重複する状態で前記第１磁気ヘッドによる記録トラックを形成していくことにより、前記ＨＤ方式のＭＰＥＧ圧縮信号による所定幅の記録トラックと前記ＳＤ方式のＤＶ圧縮信号による所定幅の記録トラックとを交互に形成する、
ことを特徴とする磁気記録再生装置。
【請求項２】  前記回転ドラムに１ベース２チップ型の磁気ヘッド装置を２つ搭載し、各磁気ヘッド装置の２つの磁気ヘッドチップのうち一方の磁気ヘッドチップにＨＤ方式によるＭＰＥＧ圧縮信号を供給し、他方の磁気ヘッドチップにＳＤ方式によるＤＶ圧縮信号を供給することを特徴とする請求項１記載の磁気記録再生装置。
【請求項３】  前記磁気テープがＤＶ規格のテープであることを特徴とする請求項１記載の磁気記録再生装置。
【請求項４】  前記第１磁気ヘッド及び第２磁気ヘッドは記録再生用の磁気ヘッドであることを特徴とする請求項１記載の磁気記録再生装置。
【請求項５】  特殊再生時には、前記ＤＶ圧縮信号が記録されたトラック上のトレース信号をデコードして出力することを特徴とする請求項４記載の磁気記録再生装置。
【請求項６】  前記第１磁気ヘッドによるＨＤ方式のＭＰＥＧ圧縮信号の再生信号と、前記第２磁気ヘッドによるＳＤ方式のＤＶ圧縮信号の再生信号とを選択して出力することを特徴とする請求項４記載の磁気記録再生装置。
【請求項７】  前記第１磁気ヘッドの第１アジマス角と前記第２磁気ヘッドの第２アジマス角は相互に再生不能なアジマス角であることを特徴とする請求項１記載の磁気記録再生装置。
【請求項８】 前記ＭＰＥＧ圧縮信号は、映像データ、音声データ、ＡＵＸデータ、映像サーチデータ、サブコードデータの各データセクタを有することを特徴とする請求項１記載の磁気記録再生装置。
【請求項９】 磁気テープが巻回給送される回転ドラムと、
前記回転ドラムに搭載されて前記磁気テープにＨＤ方式のＭＰＥＧ圧縮信号による記録トラックを形成する第１アジマス角を有する第１磁気ヘッドと、
前記回転ドラムに搭載されて前記磁気テープにＳＤ方式のＤＶ圧縮信号による記録トラックを形成する第２アジマス角を有する第２磁気ヘッドとを備えた磁気記録再生装置の制御方法であって、
前記第１磁気ヘッドによる記録トラックの一部を重複する状態で前記第２磁気ヘッドによる記録トラックを形成し、前記第２磁気ヘッドによる記録トラックの一部を重複する状態で前記第１磁気ヘッドによる記録トラックを形成していくことにより、前記ＨＤ方式のＭＰＥＧ圧縮信号による所定幅の記録トラックと前記ＳＤ方式のＤＶ圧縮信号による所定幅の記録トラックとを交互に形成する、
ことを特徴とする磁気記録再生装置の制御方法。
【手続補正３】
【補正対象書類名】明細書
【補正対象項目名】０００１
【補正方法】変更
【補正の内容】
【０００１】
【発明の属する技術分野】
本発明は、高品位なＨＤ（High Definition ）方式によるＭＰＥＧ（Moving Picture Expert Group ）圧縮信号と従来標準であるＳＤ（Standard Definition ）方式によるＤＶ（Digital Video ）圧縮信号の記録、再生を行うことができる磁気記録再生装置及びその制御方法に関する。
【手続補正４】
【補正対象書類名】明細書
【補正対象項目名】０００５
【補正方法】変更
【補正の内容】
【０００５】
そこで本発明の目的は、１つのＤＶテープに対してＨＤ方式によるＭＰＥＧ圧縮信号とＳＤ方式によるＤＶ圧縮信号を同時に記録し、自在に選択して再生することができる磁気記録再生装置及びその制御方法を提供することにある。
【手続補正５】
【補正対象書類名】明細書
【補正対象項目名】０００６
【補正方法】変更
【補正の内容】
【０００６】
【課題を解決するための手段】
本発明は前記目的を達成するため、磁気テープが巻回給送される回転ドラムと、前記回転ドラムに搭載されて前記磁気テープにＨＤ方式のＭＰＥＧ圧縮信号による記録トラックを形成する第１アジマス角を有する第１磁気ヘッドと、前記回転ドラムに搭載されて前記磁気テープにＳＤ方式のＤＶ圧縮信号による記録トラックを形成する第２アジマス角を有する第２磁気ヘッドとを備え、前記第１磁気ヘッドによる記録トラックの一部を重複する状態で前記第２磁気ヘッドによる記録トラックを形成し、前記第２磁気ヘッドによる記録トラックの一部を重複する状態で前記第１磁気ヘッドによる記録トラックを形成していくことにより、前記ＨＤ方式のＭＰＥＧ圧縮信号による所定幅の記録トラックと前記ＳＤ方式のＤＶ圧縮信号による所定幅の記録トラックとを交互に形成することを特徴とする。
また本発明は磁気テープが巻回給送される回転ドラムと、前記回転ドラムに搭載されて前記磁気テープにＨＤ方式のＭＰＥＧ圧縮信号による記録トラックを形成する第１アジマス角を有する第１磁気ヘッドと、前記回転ドラムに搭載されて前記磁気テープにＳＤ方式のＤＶ圧縮信号による記録トラックを形成する第２アジマス角を有する第２磁気ヘッドとを備えた磁気記録再生装置の制御方法であって、前記第１磁気ヘッドによる記録トラックの一部を重複する状態で前記第２磁気ヘッドによる記録トラックを形成し、前記第２磁気ヘッドによる記録トラックの一部を重複する状態で前記第１磁気ヘッドによる記録トラックを形成していくことにより、前記ＨＤ方式のＭＰＥＧ圧縮信号による所定幅の記録トラックと前記ＳＤ方式のＤＶ圧縮信号による所定幅の記録トラックとを交互に形成することを特徴とする。
【手続補正６】
【補正対象書類名】明細書
【補正対象項目名】０００７
【補正方法】変更
【補正の内容】
【０００７】
本発明の磁気記録再生装置及びその制御方法では、第１磁気ヘッドと第２磁気ヘッドを用いてＨＤ方式のＭＰＥＧ圧縮信号の記録トラックとＳＤ方式のＤＶ圧縮信号による記録トラックが交互に配置された記録トラックパターンを形成するようにしたことから、現行のＤＶテープを使用してＨＤ方式のＭＰＥＧ圧縮信号とＳＤ方式のＤＶ圧縮信号の同時記録が可能となるとともに、再生時にはＨＤ信号とＳＤ信号をリアルタイムで出力することが可能となる。さらに、特殊再生時にも、現行のＤＶ機器と同様の再生が可能となり、画像変位等の確認を行うことができる。
また、上述した記録トラックパターンで記録したＤＶ圧縮信号は、現行のＤＶ機器によってそのまま再生でき、高い互換性を得ることが可能となる。
【手続補正７】
【補正対象書類名】明細書
【補正対象項目名】０００８
【補正方法】変更
【補正の内容】
【０００８】
【発明の実施の形態】
以下、本発明による磁気記録再生装置及びその制御方法の実施の形態例について説明する。
本実施の形態例による磁気記録再生装置は、磁気テープが巻回給送される回転ドラムに１ベース２チップ型の磁気ヘッド装置を２つ搭載し、各磁気ヘッド装置の２つのヘッドチップのうち一方のヘッドチップにＨＤ方式によるＭＰＥＧ圧縮デジタル信号を供給し、他方のヘッドチップにＳＤ方式によるＤＶ圧縮デジタル信号を供給する。なお、以下の説明において４つのヘッドをＨＤ（Ｅ）、ＨＤ（Ｏ）、ＳＤ（Ｅ）、ＳＤ（Ｏ）として説明する。ここで（Ｏ）は奇数トラック、（Ｅ）は偶数トラックを示している。
そして、この両者の信号トラックを本例で固有の記録トラックパターンによって１つのＤＶテープ内に形成し、同時記録可能としたものである。
また、特殊再生時には、ＤＶ圧縮された信号が記録されているトラック上のトレース信号をデコードして出力する。
【手続補正８】
【補正対象書類名】明細書
【補正対象項目名】００２０
【補正方法】変更
【補正の内容】
【００２０】
【発明の効果】
以上説明したように本発明の磁気記録再生装置及びその制御方法によれば、第１磁気ヘッドと第２磁気ヘッドを用いてＨＤ方式のＭＰＥＧ圧縮信号の記録トラックとＳＤ方式のＤＶ圧縮信号による記録トラックが交互に配置された記録トラックパターンを形成するようにしたことから、現行のＤＶテープを使用してＨＤ方式のＭＰＥＧ圧縮信号とＳＤ方式のＤＶ圧縮信号の同時記録が可能となるとともに、再生時にはＨＤ信号とＳＤ信号をリアルタイムで出力することが可能となり、さらに、特殊再生時にも、現行のＤＶ機器と同様の再生が可能となり、画像変位等の確認を行うことができるという効果がある。
また、上述した記録トラックパターンで記録したＤＶ圧縮信号は、現行のＤＶ機器によってそのまま再生でき、高い互換性を得ることが可能となり、磁気テープの確認を容易に行えることから、必要なテープを不用意に消去するといったことも防止できる効果がある。